【手続補正書】
【提出日】平成19年11月30日(2007.11.30)
【手続補正１】
【補正対象書類名】明細書
【補正対象項目名】請求項１
【補正方法】変更
【補正の内容】
【請求項１】  作像プロセス部から導入される、未定着画像が形成された記録材を、定着部材と加圧部材により互いに圧接してなる定着ニップ間を通過させることにより、上記未定着画像を記録材上に定着させる加熱定着装置において、
上記定着部材はヒータと該ヒータと摺動するフィルムを有し、上記ヒータと上記加圧部材が上記フィルムを介して圧接して定着ニップが形成され、該定着ニップのフィルムと加圧部材の間で未定着画像が形成された記録材が挟持搬送されてフィルムを介したヒータの熱で加熱され、
上記ヒータは温度検知手段を含む温調制御手段により所定温度に制御可能であり、記録材の定着枚数に応じてヒータの温調温度を徐々に下げる制御方式を少なくとも一定定着枚数に対して採用しており、温調温度降下速度が直前の記録材が定着ニップ部を通過後、次の画像形成動作が始まるまでの時間に応じて決定されることを特徴とする加熱定着装置。
【手続補正２】
【補正対象書類名】明細書
【補正対象項目名】請求項３
【補正方法】変更
【補正の内容】
【請求項３】  作像プロセス部から導入される、未定着画像が形成された記録材を、定着部材と加圧部材により互いに圧接してなる定着ニップ間を通過させることにより、上記未定着画像を記録材上に定着させる加熱定着装置において、
上記定着部材はヒータと該ヒータと摺動するフィルムを有し、上記ヒータと上記加圧部材が上記フィルムを介して圧接して定着ニップが形成され、該定着ニップのフィルムと加圧部材の間で未定着画像が形成された記録材が挟持搬送されてフィルムを介したヒータの熱で加熱され、
上記ヒータは温度検知手段を含む温調制御手段により所定温度に制御可能であり、記録材の定着枚数に応じてヒータの温調温度を徐々に下げる制御方式を少なくとも一定定着枚数に対して採用しており、温調温度降下速度が外気温検知手段の検知温度に応じて決定されることを特徴とする加熱定着装置。
【手続補正３】
【補正対象書類名】明細書
【補正対象項目名】請求項５
【補正方法】変更
【補正の内容】
【請求項５】  作像プロセス部から導入される、未定着画像が形成された記録材を、定着部材と加圧部材により互いに圧接してなる定着ニップ間を通過させることにより、上記未定着画像を記録材上に定着させる加熱定着装置において、
上記定着部材はヒータと該ヒータと摺動するフィルムを有し、上記ヒータと上記加圧部材が上記フィルムを介して圧接して定着ニップが形成され、該定着ニップのフィルムと加圧部材の間で未定着画像が形成された記録材が挟持搬送されてフィルムを介したヒータの熱で加熱され、
上記ヒータは温度検知手段を含む温調制御手段により所定温度に制御可能であり、記録材の定着枚数に応じてヒータの温調温度を徐々に下げる制御方式を少なくとも一定定着枚数に対して採用しており、温調温度降下速度が、記録材が定着ニップ部を通過した後の上記温度検知手段の検知温度低下量に応じて決定されることを特徴とする加熱定着装置。
【手続補正４】
【補正対象書類名】明細書
【補正対象項目名】００２８
【補正方法】変更
【補正の内容】
【００２８】
（１）作像プロセス部から導入される、未定着画像が形成された記録材を、定着部材と加圧部材により互いに圧接してなる定着ニップ間を通過させることにより、上記未定着画像を記録材上に定着させる加熱定着装置において、
上記定着部材はヒータと該ヒータと摺動するフィルムを有し、上記ヒータと上記加圧部材が上記フィルムを介して圧接して定着ニップが形成され、該定着ニップのフィルムと加圧部材の間で未定着画像が形成された記録材が挟持搬送されてフィルムを介したヒータの熱で加熱され、
上記ヒータは温度検知手段を含む温調制御手段により所定温度に制御可能であり、記録材の定着枚数に応じてヒータの温調温度を徐々に下げる制御方式を少なくとも一定定着枚数に対して採用しており、温調温度降下速度が直前の記録材が定着ニップ部を通過後、次の画像形成動作が始まるまでの時間に応じて決定されることを特徴とする加熱定着装置、である。
【手続補正５】
【補正対象書類名】明細書
【補正対象項目名】００３０
【補正方法】変更
【補正の内容】
【００３０】
（３）作像プロセス部から導入される、未定着画像が形成された記録材を、定着部材と加圧部材により互いに圧接してなる定着ニップ間を通過させることにより、上記未定着画像を記録材上に定着させる加熱定着装置において、
上記定着部材はヒータと該ヒータと摺動するフィルムを有し、上記ヒータと上記加圧部材が上記フィルムを介して圧接して定着ニップが形成され、該定着ニップのフィルムと加圧部材の間で未定着画像が形成された記録材が挟持搬送されてフィルムを介したヒータの熱で加熱され、
上記ヒータは温度検知手段を含む温調制御手段により所定温度に制御可能であり、記録材の定着枚数に応じてヒータの温調温度を徐々に下げる制御方式を少なくとも一定定着枚数に対して採用しており、温調温度降下速度が外気温検知手段の検知温度に応じて決定されることを特徴とする加熱定着装置、である。
【手続補正６】
【補正対象書類名】明細書
【補正対象項目名】００３２
【補正方法】変更
【補正の内容】
【００３２】
（５）作像プロセス部から導入される、未定着画像が形成された記録材を、定着部材と加圧部材により互いに圧接してなる定着ニップ間を通過させることにより、上記未定着画像を記録材上に定着させる加熱定着装置において、
上記定着部材はヒータと該ヒータと摺動するフィルムを有し、上記ヒータと上記加圧部材が上記フィルムを介して圧接して定着ニップが形成され、該定着ニップのフィルムと加圧部材の間で未定着画像が形成された記録材が挟持搬送されてフィルムを介したヒータの熱で加熱され、
上記ヒータは温度検知手段を含む温調制御手段により所定温度に制御可能であり、記録材の定着枚数に応じてヒータの温調温度を徐々に下げる制御方式を少なくとも一定定着枚数に対して採用しており、温調温度降下速度が、記録材が定着ニップ部を通過した後の上記温度検知手段の検知温度低下量に応じて決定されることを特徴とする加熱定着装置、である。
【手続補正７】
【補正対象書類名】明細書
【補正対象項目名】００４６
【補正方法】変更
【補正の内容】
【００４６】
転写ニップ部を通過した記録材Ｐは、感光ドラム１面から分離され、トナー像を保持して定着装置６へ搬送され、定着装置６の定着ニップ部で加熱・加圧されてトナー像が記録材Ｐ上に定着されて固着像となり、機外へ排出される。
すなわち、定着装置６は、上記のような作像プロセス部から導入される、未定着画像が形成された記録材を、定着部材と加圧部材により互いに圧接してなる定着ニップ間を通過させることにより、未定着画像を記録材上に定着させる加熱定着装置である。
【手続補正８】
【補正対象書類名】明細書
【補正対象項目名】００５０
【補正方法】変更
【補正の内容】
【００５０】
１０は定着部材、２０は加圧部材としての加圧ローラであり、両者１０・２０の圧接により定着ニップ部ｎを形成させている。
【手続補正９】
【補正対象書類名】明細書
【補正対象項目名】００６９
【補正方法】変更
【補正の内容】
【００６９】
制御方法としては、交流電圧の波数によって投入電力を制御する波数制御方式や交流電圧のゼロクロスからの所定の遅延時間後に次のゼロクロスまで通電する位相制御方式等が適用される。
上記のようにヒータ１１はサーミスタ１４（温度検知手段）を含む制御回路２１（温調制御手段）により所定温度に制御可能である。
【手続補正１０】
【補正対象書類名】明細書
【補正対象項目名】００８６
【補正方法】変更
【補正の内容】
【００８６】
本実施例では間欠プリント時にヒータ１１の通電発熱抵抗層１１ｂへの通電をシャットダウンした時点から次のプリント信号を受信するまで（次の画像形成動作が始まるまで）の時間を間欠時間と定義し、この時間に応じて、ヒータ制御温度の降下速度（温調温度降下速度）を切り替える。すなわち、間欠プリント時にヒータ１１の通電発熱抵抗層ｂへの通電をシャットダウンしたときから所定時間後には、ヒータ背面の温度検知手段１４の検知温度は加圧部材２０の温度に近くなるため、この時は上述したように次のプリント時のヒータ制御温度を上記テーブルから決定することが可能になるが、ヒータ１１の通電発熱抵抗層１１ｂへの通電がシャットダウンされて、１分以内、より正確には２分以内のプリント動作時には加圧部材２０の表面温度とヒータ背面に配設した温度検知手段１４との検知温度とは大きな隔たりがあるため、ヒータ１１への通電がシャットダウンもしくは消費電力を絞られてから次のプリント信号を受信するまでの時間によって、上記枚数制御方式の見かけの枚数を変更するため、枚数増加分を決定する方がより最適なヒータ温調温度を提供できる。
【手続補正１１】
【補正対象書類名】明細書
【補正対象項目名】００９１
【補正方法】変更
【補正の内容】
【００９１】
なお、本実施例では、プリント枚数によって温調温度を決定する枚数制御方式で説明したが、プリント枚数（記録材の定着枚数）に応じて徐々に温調温度を下げる温調制御が少なくとも一定枚数（一定定着枚数）に関して採用されるどの方式の温調制御にも適応することが可能である。
【手続補正１２】
【補正対象書類名】明細書
【補正対象項目名】０１２８
【補正方法】変更
【補正の内容】
【０１２８】
図１０はフィルム加熱方式、電磁誘導加熱方式、加圧用回転体駆動方式の加熱定着装置の一例の概略構成模型図である。１１Ａはヒータとしての鉄板等の電磁誘導発熱性部材である。４０は励磁コイル４１と磁性コア４２から成る磁場発生器（磁場発生手段）である。励磁回路４３から励磁コイル４１に高周波電流が通電されることで発生する高周波磁界（発生磁場）によりヒータ１１Ａが電磁誘導発熱する。このヒータ１１Ａの熱により、定着ニップ部ｎを挟持搬送される記録材Ｐが加熱される。ヒータ１１Ａの温度情報がヒータ温度検知手段としてのチップサーミスタ１４からＡ／Ｄコンバータ２４を介して制御回路２１に取り込まれる。制御回路２１はその入力温度情報を基にヒータ１１Ａの温度を所定の一定温度に制御すべく励磁回路４３を制御する。即ちヒータ１１Ａを電磁誘導発熱させる励磁コイル４１への高周波電流を制御することにより、ヒータ温度を目標温度（プリント温度）に温調制御する構成となっている。